(57)【要約】【課題】間接活線工具を用いて間接活線作業を行う際の作業者の負担を軽減可能な間接活線工具支持具を提供すること。【解決手段】ホットスティック支持具１０は、電柱１に架設された電線２に対して間接活線作業を行う際に使用され、当該間接活線作業に応じた先端工具２０ａを取り付け可能な絶縁操作棒２１を有するホットスティック（間接活線工具）２０を支持するものである。ホットスティック支持具１０は、電柱１に装着される電柱装着部３０と、絶縁操作棒２１に装着される棒装着部５０と、電柱装着部３０と棒装着部５０とを連結する連結部４０と、を備える。【選択図】図６
2010239793.tif 000002
【特許請求の範囲】
【請求項１】
電柱に架設された電線に対して間接活線作業を行う際に使用され、当該間接活線作業に応じた先端工具を取り付け可能な絶縁操作棒を有する間接活線工具を支持する間接活線工具支持具であって、
前記電柱に装着される電柱装着部と、
前記絶縁操作棒に装着される棒装着部と、
前記電柱装着部と前記棒装着部とを連結する連結部と、
を備えることを特徴とする間接活線工具支持具。
【請求項２】
前記電柱装着部は、前記電柱の太さに応じて当該電柱を着脱自在に巻回し、又は着脱自在に挟持するように形成されることを特徴とする請求項１に記載の間接活線工具支持具。
【請求項３】
前記連結部は、前記電柱装着部と前記棒装着部との距離を調節可能に形成されることを特徴とする請求項１又は２に記載の間接活線工具支持具。
【請求項４】
電柱に架設された電線に対して間接活線作業を行う際に使用され、当該間接活線作業に応じた先端工具を取り付け可能な絶縁操作棒を有する間接活線工具を支持する間接活線工具支持具であって、
前記電線に装着される電線装着部と、
前記絶縁操作棒に装着される棒装着部と、
前記電線装着部と前記棒装着部とを連結する連結部と、
を備えることを特徴とする間接活線工具支持具。
【請求項５】
前記連結部は、前記電線装着部と前記棒装着部との距離を調節可能に形成されることを特徴とする請求項４に記載の間接活線工具支持具。
【発明の詳細な説明】
【技術分野】
【０００１】
本発明は、間接活線工具を支持する間接活線工具支持具に関する。
【背景技術】
【０００２】
従来より、電柱間に架設された電線の配電工事等を行う際には、電線に電気を通電させたまま、つまり無停電の状態で作業が行われる。そして、このような活線作業には、絶縁衣や絶縁手袋等の絶縁保護具を着用した作業者が通電中の電線に直接触れて作業を行う直接活線工法と、間接活線工具を使用して、作業者が通電中の電線に直接触れることなく作業を行う間接活線工法の二通りがある。
【０００３】
しかしながら、直接活線工法は、感電等を防止するために大掛かりな絶縁保護具を着用して作業を行うため、間接活線工法よりも作業効率が低下すると共に、作業者が通電中の電線に直接触れて作業を行うため、作業者が不慮の感電をするおそれがある。そのため、近年においては、作業効率の向上や作業環境の改善等の観点から、間接活線工具を使用した間接活線工法が主流となってきている。
【０００４】
ところで、上述の間接活線工法においては、ホットスティックのような間接活線工具を用いて作業が行われる。ホットスティックは、例えば、駆動ユニット及び駆動ユニットを操作可能な操作部を備えた棒状の絶縁操作棒と、絶縁操作棒の先端に設けられ、駆動ユニットに接続されると共に、作業内容により交換可能に構成された先端工具と、を備えて構成されている。操作部は、電気的に絶縁された絶縁操作棒の基端部に設けられており、当該基端部には、作業者が把持可能な取手部が設けられている。作業者は、一方の手で取手部を把持し、他方の手で操作部を操作して間接活線作業を行う（例えば、特許文献１参照）。
【先行技術文献】
【特許文献】
【０００５】
【特許文献１】特開平７−２２２３１７号公報
【発明の概要】
【発明が解決しようとする課題】
【０００６】
しかしながら、特許文献１に記載のホットスティックを使用して間接活線作業を行う場合、作業者は、一方の手でホットスティックを支え、他方の手でホットスティックを操作しながら作業を行う。つまり、作業者は、片手でホットスティックを支持しながら作業を行っていた。そのため、作業者の一方の手にホットスティックの荷重が集中してしまい、作業者は、一方の手が直ぐに疲れるという問題があった。そして、このことは、間接活線工法において作業効率を低下させる要因の１つとなっていた。
【０００７】
これに対しては、例えば、高所作業車の作業台（バケット）にホットスティックを保持する保持装置を設け、この保持装置にホットスティックを保持させた状態で作業者が作業を行うことにより、作業者の一方の手に係る負担を軽減することが可能となる。
【０００８】
しかしながら、高所作業車での作業は、平地等の駐車可能な場所での作業を前提としており、例えば、山間部等の駐車が困難な場所や駐車スペースが確保できない場所等では作業ができないという問題がある。
また、例えば、ホットスティックを保持して作業を可能とする上記保持装置は、複雑な構造を有する場合が多く、コストがかかるという問題があった。
【０００９】
本発明は、上記に鑑みてなされたものであって、間接活線工具を用いて間接活線作業を行う際の作業者の負担を容易に軽減可能な間接活線工具支持具を提供することを目的とする。
【課題を解決するための手段】
【００１０】
上記目的を達成するため、本発明は、以下のような間接活線工具支持具を提供する。
【００１１】
（１）  電柱に架設された電線に対して間接活線作業を行う際に使用され、当該間接活線作業に応じた先端工具を取り付け可能な絶縁操作棒を有する間接活線工具を支持する間接活線工具支持具であって、前記電柱に装着される電柱装着部と、前記絶縁操作棒に装着される棒装着部と、前記電柱装着部と前記棒装着部とを連結する連結部と、を備えることを特徴とする。
【００１２】
（２）  （１）に記載の発明においては、前記電柱装着部は、前記電柱の太さに応じて当該電柱を着脱自在に巻回し、又は着脱自在に挟持するように形成されることが好ましい。
【００１３】
（３）  （１）又は（２）に記載の発明においては、前記連結部は、前記電柱装着部と前記棒装着部との距離を調節可能に形成されることが好ましい。
【００１４】
（４）  電柱に架設された電線に対して間接活線作業を行う際に使用され、当該間接活線作業に応じた先端工具を取り付け可能な絶縁操作棒を有する間接活線工具を支持する間接活線工具支持具であって、前記電線に装着される電線装着部と、前記絶縁操作棒に装着される棒装着部と、前記電線装着部と前記棒装着部とを連結する連結部と、を備えることを特徴とする。
【００１５】
（５）  （４）に記載の発明においては、前記連結部は、前記電線装着部と前記棒装着部との距離を調節可能に形成されることが好ましい。
【発明の効果】
【００１６】
本発明によれば、間接活線工具を用いて間接活線作業を行う際の作業者の負担を軽減可能な間接活線工具支持具を提供することができる。
【図面の簡単な説明】
【００１７】
【図１】間接活線工具の例を示す図であり、（ａ）は２軸回転操作棒を示す図、（ｂ）はストレーリンクトングを示す図、（ｃ）は絶縁ヤットコを示す図、（ｄ）は共用操作棒を示す図である。
【図２】第１実施形態に係るホットスティック支持具が装着されたホットスティックを示す斜視図である。
【図３】ホットスティック支持具を示す組立斜視図である。
【図４】ホットスティック支持具を示す分解斜視図である。
【図５】（ａ）は、ホットスティック支持具の棒装着部を示す斜視図であり、（ｂ）は、（ａ）の断面図である。
【図６】ホットスティック支持具の使用状態を示す図である。
【図７】第２実施形態に係るホットスティック支持具の電柱装着部を示す側面図である。
【図８】図７に示した電柱装着部を示す平面図である。
【図９】第３実施形態に係るホットスティック支持具の電柱装着部を電柱に装着した状態を示す斜視図である。
【図１０】電柱装着部を示す平面図である。
【図１１】第４実施形態に係るホットスティック支持具の電線装着部を示す斜視図である。
【図１２】第４実施形態に係るホットスティック支持具の使用状態を示す図である。
【発明を実施するための形態】
【００１８】
以下に、本発明の実施形態を図面に基づいて詳細に説明する。なお、この実施形態により本発明が限定されるものではない。
【００１９】
〔第１実施形態〕
図１は、間接活線工具の例を示す図であり、（ａ）は２軸回転操作棒を示す図、（ｂ）はストレーリンクトングを示す図、（ｃ）は絶縁ヤットコを示す図、（ｄ）は共用操作棒を示す図である。
【００２０】
＜間接活線工具の説明＞
間接活線工具としては、ホットスティックの他、例えば、図１（ａ）〜（ｄ）に示す２軸回転操作棒、ストレーリンクトング、絶縁ヤットコ、共用操作棒等があるが、以下の説明においては、作業内容により交換が可能な先端工具を有するホットスティック（間接活線工具）に取り付け可能なホットスティック支持具（間接活線工具支持具）を例に挙げて説明する。
【００２１】
最初に、本実施形態に係るホットスティック支持具が取り付けられるホットスティックについて図２を参照して説明する。図２は、第１実施形態に係るホットスティック支持具が装着されたホットスティックを示す斜視図である。
【００２２】
図２に示すように、ホットスティック２０は、先端工具２０ａと、丸棒状の絶縁操作棒２１と、を備える。
【００２３】
先端工具２０ａは、絶縁操作棒２１の先端に着脱可能に取り付けられている。また、先端工具２０ａは、絶縁操作棒２１の先端に取り付けられることにより、絶縁操作棒２１に設けられる後述の駆動ユニット２２に接続されるように構成されている。
【００２４】
絶縁操作棒２１は、駆動ユニット２２と、駆動ユニット２２を操作可能な操作部２３と、を有して構成されている。
駆動ユニット２２は、絶縁操作棒２１の先端に取り付けられた先端工具２０ａを駆動可能に構成されている。具体的には、駆動ユニット２２は、本体部（図示せず）と、駆動部（図示せず）と、を有して構成されている。
【００２５】
本体部は、絶縁操作棒２１の基端部側に配設されており、操作部２３と接続されている。また、本体部は、操作部２３により操作された操作内容を駆動部に伝達させる。
【００２６】
駆動部は、絶縁操作棒２１の内部に配設されており、本体部と先端工具２０ａとを接続させている。また、駆動部は、本体部により伝達された操作内容を先端工具２０ａに伝達し、先端工具２０ａを駆動させる。
【００２７】
操作部２３は、絶縁操作棒２１の基端部に設けられており、作業者により操作可能に構成されている。また、操作部２３は、駆動ユニット２２の本体部に接続されており、駆動ユニット２２を操作可能に構成されている。
【００２８】
つまり、作業者は、操作部２３を操作することにより、絶縁操作棒２１の先端に設けられ、駆動ユニット２２の駆動部に接続された先端工具２０ａを操作することができる。
【００２９】
＜ホットスティック支持具の説明＞
次に、本実施形態に係るホットスティック支持具１０について図２〜図４を参照して説明する。図３は、ホットスティック支持具を示す組立斜視図、図４は、ホットスティック支持具を示す分解斜視図である。
【００３０】
図２〜図４に示すように、ホットスティック支持具１０は、電柱１（図２参照）に装着される電柱装着部３０と、絶縁操作棒２１に装着される棒装着部５０と、電柱装着部３０と棒装着部５０とを連結する連結部４０と、を備える。
【００３１】
＜電柱装着部の説明＞
電柱装着部３０は、図３及び図４に示すように、開閉可能な円環状に形成され、電柱１（図２参照）に装着される部材である。
すなわち、電柱装着部３０は、分割リング部３１，３２と、ヒンジ部３３と、ロック部３４と、連結片３６と、を備える。
【００３２】
分割リング部３１，３２は、電柱１（図２参照）の外周面に当接可能となるように、金属製（例えば、鋼製）の帯板を半円弧状に湾曲したものである。また、分割リング部３１，３２は、電柱１に設けられた足場ボルト（図示せず）に係合可能な逆Ｕ字状の係合溝３５を下縁部に複数有している。
【００３３】
ヒンジ部３３は、分割リング部３１の一端と分割リング部３２の一端とを回動自在に連結している。すなわち、分割リング部３１，３２は、このヒンジ部３３によって開閉自在に連結されている。
【００３４】
ロック部３４は、分割リング部３１，３２が閉じた状態を保持する部材である。
すなわち、ロック部３４は、分割リング部３１の一端部に所定ピッチで設けられた複数の係止穴３４ａと、分割リング部３２の一端部に設けられ、係止穴３４ａに係止可能に形成された係止片３４ｂと、係止穴３４ａに係止片３４ｂが係止された状態（ロック状態）を維持又は解除するロック機構部３４ｃと、を備える。
【００３５】
分割リング部３１の一端部に係止穴３４ａを所定ピッチで複数設けることにより、電柱１の太さに応じて、分割リング部３１，３２を重ね合わせる量を調節することが可能となる。すなわち、電柱装着部３０は、種々の太さの電柱１に装着できるように構成されている。
【００３６】
連結片３６は、分割リング部３２の外周面から突設され、後述する連結部４０のフック部４７を連結可能に構成されている。
すなわち、連結片３６は、フック部４７を係止可能な係止穴３６ａを有している。連結片３６の係止穴３６ａと連結部４０のフック部４７とは、互いに係止することで連結部４０と電柱装着部３０とを連結させる。
【００３７】
＜連結部の説明＞
連結部４０は、帯状に形成されている。連結部４０は、電柱装着部３０と、棒装着部５０とを連結する。また、連結部４０は、伸縮部４０ａと、調整部４１と、を備える。
【００３８】
伸縮部４０ａは、絶縁性を有する弾性材料（例えば、弾性ゴム等）により帯状に形成されており、所定の応力が加わると延伸するように形成されている。
また、伸縮部４０ａの一方側の端部には、フック部４２が設けられている。フック部４２は、棒装着部５０と連結可能に形成されており、連結部４０と棒装着部５０とを連結する。
【００３９】
なお、フック部４２は、棒装着部５０との連結状態を維持するロック機能を備えている。一方、伸縮部４０ａの他方側は、調整部４１と連続している。
【００４０】
調整部４１は、絶縁性部材により帯状に形成されており、連結部４０の長さを調節可能に形成されている。
具体的には、調整部４１には、調整バックル４３が取り付けられており、調整部４１は、調整バックル４３を調整することにより連結部４０の長さを調節可能に構成されている。また、調整部４１は、バックル４６と係合しており、バックル４６を介して電柱装着部３０と連結部４０とを連結させている。
【００４１】
バックル４６の一方側の端部には、フック部４７が設けられている。フック部４７は、電柱装着部３０の連結片３６と連結可能に形成されており、連結部４０と棒装着部５０とを連結する。
なお、フック部４７は、連結片３６との連結状態を維持するロック機能を備えている。
【００４２】
＜棒装着部の説明＞
図５（ａ）は、ホットスティック支持具の棒装着部を示す斜視図であり、図５（ｂ）は、図５（ａ）の断面図である。
図５（ａ）及び図５（ｂ）に示すように、棒装着部５０は、円筒部５０ａと、開口部５１と、を備える。また、棒装着部５０は、弾性材料（例えば、樹脂等）により形成されており、弾性変形可能に形成されている。
【００４３】
円筒部５０ａは、略円筒形状に形成されており、その内径が、絶縁操作棒２１の外形よりも大きくなるように形成されている。円筒部５０ａは、内径を絶縁操作棒２１の外形よりも大きくすることにより、円筒部５０ａの内部（中空部）に絶縁操作棒２１を挿入可能になるように構成されている。
【００４４】
また、円筒部５０ａの外周面には、外方に突出した係止部５３が形成されている。係止部５３には、フック部４２（図３参照）が係止可能な係止穴５３ａが形成されている。つまり、連結部４０と棒装着部５０とは、フック部４２を係止部５３に係止させることにより連結される。
【００４５】
更に、円筒部５０ａの外周面には、ねじ穴部５４が設けられている。ねじ穴部５４は、ねじ穴５５と、ねじ５６と、を有して構成されている。ねじ穴５５は、円筒部５０ａを貫通するように形成されており、ねじ５６が螺合可能なねじ溝（図示せず）が設けられている。
【００４６】
ねじ５６は、円筒部５０ａを貫通可能な長さに形成されており、ねじ穴５５に設けられたねじ溝に沿ってねじ穴５５に螺合可能に形成されている。
【００４７】
開口部５１は、円筒部５０ａの外周面を円筒部５０ａの長手方向（軸方向）に切り欠いたスリット状に形成されている。また、開口部５１には、外方に広がる一対のフランジ部５１ａ，５１ｂが設けられている。
【００４８】
一対のフランジ部５１ａ，５１ｂそれぞれは、開口部５１の端縁部から外方に向かって開口部５１の開口幅よりも広がるように突出した状態に形成されている。また、一対のフランジ部５１ａ，５１ｂそれぞれは、絶縁操作棒２１と当接可能に形成されている。
【００４９】
開口部５１は、絶縁操作棒２１を一対のフランジ部５１ａ，５１ｂに当接させた後、更に円筒部５０ａの内部方向に絶縁操作棒２１を押し込むことにより、開口部５１が弾性変形して幅方向に広がり、絶縁操作棒２１が円筒部５０ａの内部に挿入されるように構成されている。
【００５０】
＜ホットスティック支持具の使用方法の説明＞
次に、本実施形態に係るホットスティック支持具１０の使用方法について図６を参照して説明する。
図６は、ホットスティック支持具１０の使用状態を示す図である。
【００５１】
図６に示すように、ホットスティック支持具１０は、例えば、高所作業車（図示せず）のバケット１００上で、間接活線作業を行う作業者Ｗが使用するホットスティック２０に装着して使用される。
【００５２】
先ず、作業者Ｗは、電柱１の所定箇所に電柱装着部３０を装着する。具体的には、分割リング部３１，３２を開いて（図４参照）、電柱１の所定箇所に位置決めしてから閉じ、適宜位置の係止穴３４ａに係止片３４ｂを係止する。そして、ロック部３４をロックする（図３参照）。
電柱装着部３０は、種々の太さの電柱１に装着できるように構成されているので、高さ方向で太さの異なる電柱１に対して、任意の高さに装着することができる。
【００５３】
次に、作業者Ｗは、ホットスティック２０の絶縁操作棒２１に棒装着部５０を装着する。具体的には、図５（ｂ）に示す矢印の方向に、絶縁操作棒２１を開口部５１から押し込む。
開口部５１は、絶縁操作棒２１の外径よりも小さいが、棒装着部５０が弾性材料により弾性変形可能に形成されているので、開口部５１に絶縁操作棒２１を押し込もうとすると、開口部５１が広がり、容易に絶縁操作棒２１を円筒部５０ａの内部に挿入することができる。
【００５４】
絶縁操作棒２１を円筒部５０ａに挿入した後、ねじ穴部５４のねじ５６を締める方向に回動すると、ねじ５６が円筒部５０ａの内部（中空部）側に前進し、絶縁操作棒２１を押圧する。これにより、絶縁操作棒２１が円筒部５０ａの内部で締め付けられて、棒装着部５０が絶縁操作棒２１に固定される。
【００５５】
次に、作業者Ｗは、連結部４０の調整部４１（図３参照）を調整し、連結部４０の長さを調節する。連結部４０の長さは、作業者Ｗと工事対象物との距離、又は先端工具２０ａと工事対象物との距離等により調節される。
【００５６】
続いて、作業者Ｗは、連結部４０のフック部４７を、電柱装着部３０の連結片３６に連結させる。これにより、図６に示すように、ホットスティック２０は、ホットスティック支持具１０によって電柱１に連結される。
【００５７】
そして、作業者Ｗは、ホットスティック支持具１０によって電柱１に連結されたホットスティック２０を把持して、所定の間接活線作業に取りかかる（図６参照）。
【００５８】
＜ホットスティック支持具が奏する効果の説明＞
上述した構成を有する第１実施形態に係るホットスティック支持具１０によれば、以下に示す効果が奏される。
【００５９】
ホットスティック支持具１０は、電柱１（図６参照）に装着される電柱装着部３０と、絶縁操作棒２１に装着される棒装着部５０と、電柱装着部３０と棒装着部５０とを連結する連結部４０と、を備える。
【００６０】
このため、ホットスティック支持具１０は、電柱装着部３０を電柱１に装着することにより、ホットスティック２０の荷重を電柱１に分散させることができ、容易にホットスティック２０を支持することが可能になる。
したがって、作業者Ｗが手のみでホットスティック２０を支持する場合と異なり、作業負担及び疲労を軽減することができ、作業効率を向上することができる。
【００６１】
また、ホットスティック支持具１０は、構成要素も少なく、簡易な構成であるため、多大な費用をかけることなくホットスティック支持具１０を製造することができる。
【００６２】
また、ホットスティック支持具１０の電柱装着部３０は、分割リング部３１，３２と、ヒンジ部３３と、ロック部３４と、連結片３６と、を備える。
このため、高さ方向で太さの異なる電柱１であっても、任意の高さに装着することができる。
【００６３】
また、ホットスティック支持具１０の連結部４０は、伸縮部４０ａと、調整部４１と、を備える。
このため、作業者Ｗは、電柱装着部３０と棒装着部５０との距離を任意に調節することができ、作業し易い位置でホットスティック２０を支持することができる。したがって、作業負担及び疲労を軽減することができ、作業効率を向上することができる。
【００６４】
なお、本発明は、上記実施形態に何ら限定されることなく、本発明の技術的範囲はこれらに限定されるものではない。
【００６５】
例えば、上記実施形態においては、ホットスティック支持具１０の連結部４０は、帯状に形成されているものとして説明したが、これに限定されず、例えば、紐状に形成されていてもよい。
【００６６】
また、例えば、本実施形態においては、棒装着部５０には、ねじ穴部５４を設け、このねじ穴部５４により、棒装着部５０を絶縁操作棒２１に装着するものとして説明したが、これに限定されない。
【００６７】
例えば、面ファスナーを絶縁操作棒２１に巻き付けて固定する構成であってもよい。棒装着部５０は、絶縁操作棒２１に装着可能な構成であればよい。
【００６８】
〔第２実施形態〕
図７は、第２実施形態に係るホットスティック支持具の電柱装着部を示す側面図、図８は、図７に示した電柱装着部を示す平面図である。
【００６９】
第２実施形態は、高さ方向で太さの異なる電柱１であっても、任意の高さに装着することができる、いわゆる自在バンドとしての電柱装着部１３０を備えるホットスティック支持具（全体構成は図示せず）を提供するものである。
【００７０】
この第２実施形態に係るホットスティック支持具は、上記第１実施形態で示した連結部４０及び棒装着部５０を備えている。以下、上記第１実施形態と異なる構成について説明する。
【００７１】
＜電柱装着部の説明＞
電柱装着部１３０は、図７及び図８に示すように、バンド本体１３１と、バンド本体１３１に設けられた係止穴１３１ａと、バンド本体１３１の一端に固定された補強管１３３と、補強管１３３に設けられた貫通穴１３３ａと、貫通穴１３３ａに挿通されるフックボルト１３４と、フックボルト１３４に螺合される段付ナット１３５と、バンド本体１３１に突設された連結片１３６と、を備える。
【００７２】
バンド本体１３１は、鋼材等の金属材料で帯状に形成され、電柱１に巻き付けられる。バンド本体１３１は、長手方向に沿って、後述するフックボルト１３４のフック部１３４ａを引っ掛けるための係止穴１３１ａが等間隔に複数穿設されている。
【００７３】
補強管１３３は、円筒状に形成されている。補強管１３３は、円筒の中心がバンド本体１３１の長手方向と略直交するように、当該バンド本体１３１の一端に固定されている。補強管１３３には、円筒の中心と略直交するように貫通穴１３３ａが設けられている。
【００７４】
フックボルト１３４は、外周面の一部に雄ねじが形成されており、先端部にフック部１３４ａを有する。このフック部１３４ａは、バンド本体１３１に設けられた係止穴１３１ａに引っ掛け可能となるように略Ｕ字状に形成されている。
【００７５】
このように構成されたフックボルト１３４は、補強管１３３の貫通穴１３３ａに挿通され、当該フックボルト１３４の後端部側（フック部１３４ａを有していない側）に段付ナット１３５が螺合されることにより、バンド本体１３１と一体となる。
【００７６】
連結片１３６は、係止穴１３６ａを有し、バンド本体１３１の外周面に突設されている。連結片１３６の係止穴１３６ａには、上述した連結部４０のフック部４７が係止される。これにより、連結部４０と電柱装着部１３０とが連結されるようになっている。
【００７７】
このように構成された電柱装着部１３０は、フックボルト１３４のフック部１３４ａを係止穴１３１ａに引っ掛けた後に段付ナット１３５を適宜締めることによって、電柱１に巻き付けられたバンド本体１３１の径が小さくなるので、任意の太さの電柱１に容易かつ強固に装着される。
【００７８】
なお、バンド本体１３１の径を大きくし、フック部１３４ａを係止穴１３１ａから外す場合には、段付ナット１３５を緩めればよい。これにより、電柱装着部１３０を電柱１から容易に取り外すことができる。
【００７９】
＜ホットスティック支持具が奏する効果の説明＞
以上のように、第２実施形態に係るホットスティック支持具によれば、上記第１実施形態の奏する効果と同様の効果を奏し、高さ方向で太さの異なる電柱１であっても、電柱装着部１３０を電柱１の任意の高さに装着することができる。
【００８０】
〔第３実施形態〕
図９は、第３実施形態に係るホットスティック支持具の電柱装着部を電柱に装着した状態を示す斜視図、図１０は、電柱装着部を示す平面図である。
【００８１】
第３実施形態は、電柱１への装着がきわめて容易な電柱装着部２３０を備えるホットスティック支持具（全体構成は図示せず）を提供するものである。
この第３実施形態に係るホットスティック支持具は、上記第１実施形態で示した連結部４０及び棒装着部５０を備えている。以下、上記第１実施形態と異なる構成について説明する。
【００８２】
＜電柱装着部の説明＞
電柱装着部２３０は、図９及び図１０に示すように、第１挟持体２３１と、第２挟持体２３２と、ヒンジ部２３３と、付勢ばね２３４と、連結部２３５と、を備える。
【００８３】
第１挟持体２３１は、矩形形状の板状部材を、平面視略Ｃ字状となるように湾曲形成されている。第１挟持体２３１は、当該第１挟持体２３１の一端部に回動自在に設けられる第２挟持体２３２と共に、電柱１を挟持可能に構成されている。第１挟持体２３１の他端部（開放側の先端部）は、電柱１の外周面に密着可能な湾曲形状に形成されている。
【００８４】
第２挟持体２３２は、矩形形状の板状部材の先端部を若干湾曲させ、電柱１の外周面に密着可能な形状に形成されている。第２挟持体２３２は、第１挟持体２３１の内方に配置され、かつ、第２挟持体２３２の基端部は、第１挟持体２３１の一端部とヒンジ部２３３を介して回動自在に連結されている。
【００８５】
第２挟持体２３２の開放側の端部は、第１挟持体２３１の上記他端部（開放側の先端部）と、所定の空間（以下、電柱挿入空間と称する）を有している。この電柱挿入空間は、電柱１を挿入するスペースとなっており、電柱１の外径よりも小さく設定されている。
【００８６】
ヒンジ部２３３には、第２挟持体２３２の開放側の端部を、第１挟持体２３１の上記他端部（開放側の先端部）に近づける向きに付勢する付勢ばね２３４が設けられている。
付勢ばね２３４は、第２挟持体２３２と第１挟持体２３１とによって電柱１を所定の押圧力で挟持でき、電柱装着部２３０を電柱１に装着できるように設けられている。
【００８７】
電柱装着部２３０は、以上のように構成されているので、上記電柱挿入空間に電柱１を挿入すれば、第１挟持体２３１と第２挟持体２３２とによって電柱１が挟持される。これにより、電柱装着部２３０は、きわめて容易に電柱１に装着される。
【００８８】
連結部２３５は、略コ字状の棒状部材であり、第１挟持体２３１の外表面に突設されている。連結部２３５は、上述した連結部４０のフック部４７が係止される。これにより、連結部４０と電柱装着部２３０とが連結されるようになっている。
【００８９】
また、連結部２３５は、図９に示すように、電柱装着部２３０を電柱１に装着する際に絶縁ヤットコ等によって把持される。これにより、作業者は、高所作業車のバケット（図示せず）等や梯子に乗らなくても地上から容易に電柱装着部２３０を電柱１に装着することができる。
【００９０】
なお、電柱装着部２３０を電柱１から取り外す場合には、付勢ばね２３４の付勢力に抗して、第２挟持体２３２を電柱１から離れる方向に回動させ、電柱挿入空間を広げればよい。
【００９１】
＜ホットスティック支持具が奏する効果の説明＞
以上のように、第３実施形態に係るホットスティック支持具によれば、上記第１実施形態の奏する効果と同様の効果を奏するほか、電柱装着部２３０を備えたことにより、電柱１に容易に装着することができる。
【００９２】
〔第４実施形態〕
図１１は、第４実施形態に係るホットスティック支持具の電線装着部を示す斜視図、図１２は、第４実施形態に係るホットスティック支持具の使用状態を示す図である。
【００９３】
上記第１実施形態に係るホットスティック支持具１０（図６参照）では、電柱１に電柱装着部３０を装着し、電柱装着部３０に連結部４０を連結していたが、第４実施形態に係るホットスティック支持具１０（図１２参照）は、電線２に、後述する電線装着部３３０を装着し、電線装着部３３０に連結部４０を連結するように構成したものである。
【００９４】
第４実施形態に係るホットスティック支持具１０は、図１１及び図１２に示すように、電線２に装着される電線装着部３３０と、絶縁操作棒２１に装着される棒装着部５０と、電線装着部３３０と棒装着部５０とを連結する連結部４０と、を備える。
連結部４０及び棒装着部５０は、上記第１実施形態で示した構成と同一であるので重複説明を省略し、上記第１実施形態と異なる電線装着部３３０の構成について説明する。
【００９５】
＜電線装着部の説明＞
電線装着部３３０は、図１１に示すように、ベース部３３１と、フック部３３２と、移動体３３３と、ねじ軸体３３４と、連結リング部３３５と、摘み部３３６と、を備える。
【００９６】
ベース部３３１は、後述するねじ軸体３３４を進退自在に支持する。ベース部３３１は、ねじ軸体３３４の進退位置を規制（ロック）する摘み部３３６を有する。
【００９７】
フック部３３２は、電線２に引っ掛け可能となるように全体形状を略Ｊ字状に形成され、基端部をベース部３３１に固定されている。
【００９８】
移動体３３３は、進退自在なねじ軸体３３４の先端部に設けられ、フック部３３２と共に電線２を挟持する。
【００９９】
ねじ軸体３３４は、ベース部３３１に進退自在に螺合している。ねじ軸体３３４の一端（上端）には移動体３３３が設けられ、他端（下端）には連結リング部３３５が固定されている。
【０１００】
すなわち、電線装着部３３０は、後述する連結リング部３３５を一方に回転することにより移動体３３３をベース部３３１から遠ざかる方向に移動させ、連結リング部３３５を他方に回転することにより移動体３３３をベース部３３１に近づく方向に移動させるように構成されている。
【０１０１】
連結リング部３３５は、リング状に形成され、ねじ軸体３３４をベース部３３１に対して進退させる操作部として構成されている。
また、連結リング部３３５には、上述した連結部４０のフック部４７（図１１参照）が係止される。これにより、連結部４０と電線装着部３３０とが連結されるようになっている。
【０１０２】
摘み部３３６は、ベース部３３１に設けられ、ねじ軸体３３４の進退位置を規制（ロック）可能に構成されている。すなわち、摘み部３３６を操作すると、ねじ軸体３３４の移動が阻止され、連結リング部３３５を回転しても、ねじ軸体３３４は進退しない。
つまり、移動体３３３の位置はロックされ、電線２を挟持した状態が維持される。そして、再度、摘み部３３６を操作すると、ロックは解除される。
【０１０３】
＜ホットスティック支持具が奏する効果の説明＞
以上のように、第４実施形態に係るホットスティック支持具１０によれば、以下に示す効果が奏される。
【０１０４】
ホットスティック支持具１０は、電線２（図１２参照）に装着される電線装着部３３０と、絶縁操作棒２１に装着される棒装着部５０と、電線装着部３３０と棒装着部５０とを連結する連結部４０と、を備える。
【０１０５】
このため、ホットスティック支持具１０は、電線装着部３３０を電線２に装着することにより、ホットスティック２０の荷重を電線２に分散させることができ、容易にホットスティック２０を支持することが可能になる。
【０１０６】
したがって、作業者Ｗが手のみでホットスティック２０を支持する場合と異なり、作業負担及び疲労を軽減することができ、作業効率を向上することができる。
なお、その他の効果は、上記第１実施形態の場合と同様であるので、重複説明を省略する。
【符号の説明】
【０１０７】
１  電柱
２  電線
１０  ホットスティック支持具（間接活線工具支持具）
２０  ホットスティック（間接活線工具）
２０ａ  先端工具
２１  絶縁操作棒
３０  電柱装着部
４０  連結部
５０  棒装着部
１３０  電柱装着部
２３０  電柱装着部
３３０  電線装着部
【図１】
2010239793.tif 000003
【図２】
2010239793.tif 000004
【図３】
2010239793.tif 000005
【図４】
2010239793.tif 000006
【図５】
2010239793.tif 000007
【図６】
2010239793.tif 000008
【図７】
2010239793.tif 000009
【図８】
2010239793.tif 000010
【図９】
2010239793.tif 000011
【図１０】
2010239793.tif 000012
【図１１】
2010239793.tif 000013
【図１２】
2010239793.tif 000014